(57)【要約】【課題】色域圧縮において、画像ごとに、より最適な色再現を実現する。【解決手段】互いに異なる色域を有する画像表示装置２と画像出力装置３との間の色域圧縮を行う画像処理装置１であって、画像出力装置３において色再現される画像ごとに、色再現モードを設定する色再現モード設定部１１と、色再現モード別にあらかじめ設定された、画像出力装置３の色相角と焦点色とを取得する色相値・焦点値記憶部６と、画像出力装置３において再現される色を制御する制御色を、画像表示装置２における所定の色と、該所定の色に対応する前記取得した色相角および焦点色と、画像出力装置３の有する色域についての色域情報とに基づいて、前記選択された色再現モードに対して算出する制御点設定部１０と、前記選択された色再現モードに対して算出された制御色に基づいて、画像表示装置２の色の色変換を行う色変換処理部１０とを備える。【選択図】  図１
2004153337.tif 000002
【特許請求の範囲】
【請求項１】
所定の色域を有する第１の画像機器と、該第１の画像機器と異なる色域を有する第２の画像機器との間における色域圧縮による色変換を行う画像処理装置であって、
前記第２の画像機器において色再現される画像ごとに、色再現モードを選択する選択手段と、
前記色再現モード別にあらかじめ設定された、前記第１の画像機器における所定の色に対応する前記第２の画像機器の色相角と焦点色とを取得する取得手段と、
前記第２の画像機器において再現される色を制御するための制御色を、前記第１の画像機器における所定の色と、該所定の色に対応する前記取得した色相角および焦点色と、前記第２の画像機器の有する色域についての色域情報とに基づいて、前記選択された色再現モードに対して算出する算出手段と、
前記選択された色再現モードに対して算出された制御色に基づいて、前記第１の画像機器の画像の色変換を行う色変換手段と
を備えることを特徴とする画像処理装置。
【発明の詳細な説明】
【０００１】
【発明の属する技術分野】
本発明は、色再現範囲（以下、色域という）の異なるデバイス間で色変換を行うための画像処理技術に関するものである。例えば、色域の大きいモニタ上のカラー画像信号を色域の小さいプリンタによりハードコピーする場合のように、異なるデバイス間におけるカラー画像データの入出力を行う場合に用いられる。
【０００２】
【従来の技術】
近年、インターネット等のネットワークが広く普及し、多くのユーザが、様々なデバイスをネットワークに接続する状況にある。そこで、異なるデバイス間においても同じような色で色再現しようという、デバイスに依存しない色再現技術が要求されるようになってきた。このデバイスに依存しない色再現技術を実現するためのシステムのことを一般的にカラーマネージメントシステム（ＣＭＳ）と呼んでいる。
【０００３】
このＣＭＳは、例えば、図１７に示すように、カメラ、プリンタ、モニタなどが接続されている場合において、入力系の色信号を出力系の色信号へ変換するときに、プロファイルとよばれる変換式もしくは変換テーブルにより、デバイスに依存しない色空間（ＣＩＥ−ＸＹＺ，ＣＩＥ−Ｌ＊ａ＊ｂ＊等）に一度変換することによって実現される。図１８は、ＣＭＳの基本的な構成を説明するブロック図である。５２０１はＣＭＳにおける画像処理装置、５２０２はカメラなど画像を入力するための画像入力装置、５２０３はモニタなど画像を表示するための画像表示装置、５２０４はプリンタなど画像を出力するための画像出力装置、５２０５は画像入力装置５２０２より入力される信号を受信する画像入力部、５２０６は画像表示装置５２０３で表示するための信号を生成する画像表示部、５２０７は画像入力装置５２０２で入力され、画像表示装置５２０３で表示する色と、画像出力装置５２０４にて出力される色とのカラーマッチングを行うカラーマッチング処理部、５２０８は画像出力装置５２０４に出力するための階調変換処理や色変換処理などを行う画像処理部、５２０９は画像出力装置５２０４で出力するための信号を生成する画像出力部、５２１０は画像入力装置５２０２などのカメラプロファイルを記憶してあるカメラプロファイル、５２１１は画像表示装置５２０３などのモニタプロファイルを記憶してあるモニタプロファイル、５２１２は画像出力装置５２０４などのプリンタプロファイルを記憶してあるプリンタプロファイルである。
【０００４】
一般に、カラー画像を扱うデバイスの色域形状は、デバイス毎に異なる。例えば、モニタは、赤（Ｒ）、緑（Ｇ）、青（Ｂ）の３原色の蛍光体の発色により加法混色で色再現を行うため、モニタの色域は、使用する蛍光体の種類に依存する。一方、プリンタの色域は、使用するインクだけでなく、紙の種類等によっても異なっている。例えば、ｓＲＧＢモニタの色域とインクジェットプリンタの色域とを示したものが図１９である。図１９は、ＣＩＥ−Ｌ＊ａ＊ｂ＊色空間から以下の式（１）、（２）を用いて変換される、Ｌ＊Ｃ＊平面上での２つの色域を比較したものである。
Ｌ＊＝Ｌ＊        （１）
Ｃ＊＝（（ａ＊）２＋（ｂ＊）２）１／２  （２）
図１９に示す色相の場合、インクジェットプリンタの色域は、モニタ色域に比べ彩度のピークが明度方向で低明度側にずれている。このため、モニタからプリンタへの色変換を行った場合、高明度、高彩度領域での色再現性が良くない。
【０００５】
このように、出力系の色域が入力系の色域より小さい場合には、画像によっては入力系の色を出力系において正確に色再現することが不可能となる。例えば、モニタ上の画像をプリンタで出力する場合、モニタよりもプリンタの色域の方が小さいため、プリンタの色域外の色はそのまま再現できない。従ってこのような場合には、元の画像の色をなるべく保ちつつ、色域外の色を色域内に持ってくるような色変換が必要になる。このように、物理的に再現不可能な色を、何らかの処理により色域内に押し込むことを一般的に色域圧縮と呼んでいる。
【０００６】
従来、色域圧縮の手法としては、図９（ａ）に示すように、▲１▼明度Ｌ＊を一定にして彩度Ｃ＊だけを圧縮するアルゴリズムや、図９（ｂ）に示すように、▲２▼Ｌ軸上の固定された１点（例えば、Ｌ＊＝５０、このような‘点’で表現される色を焦点色と呼ぶ）に向かって引いた補助線上の点に圧縮するアルゴリズム、図９（ｃ）に示すように、▲３▼出力系の最大彩度における明度軸上の点に向かって引いた補助線上の点に圧縮するアルゴリズムなどが知られている。
【０００７】
さらに、最近では、このような明度彩度方向のみ圧縮する２次元圧縮だけでなく、ある程度色相を変化させることで、より色再現性を高めるべく、明度彩度色相方向への３次元圧縮が提案されてきている。
【０００８】
このように現在では様々な色域圧縮の手法が提案され、画像処理装置に組み込まれており、接続されたデバイスごとに最適な色再現を実現するようチューニングされている。
【０００９】
【発明が解決しようとする課題】
しかしながら、デバイスによって色再現される画像は多種多様であり、画像によっては人間の視覚に合致した最適な色再現が実現できないものがあった。例えば、所定の色域をもつプリンタにおいて、写真などの自然画像を色再現した場合には、最適な色再現を得ることができるが、同時にグラフィックスなどの非自然画像を色再現した場合には、色再現性が低いといったことが生じえた（また、その逆のことも生じえた）。
【００１０】
本発明は、上記課題に鑑みてなされたものであり、色域の異なるデバイス間の色域圧縮において、画像ごとに、より最適な色再現を実現させることを目的とする。
【００１１】
【課題を解決するための手段】
上記の目的を達成するために本発明に係る画像処理装置は以下のような構成を備える。即ち、
所定の色域を有する第１の画像機器と、該第１の画像機器と異なる色域を有する第２の画像機器との間における色域圧縮による色変換を行う画像処理装置であって、
前記第２の画像機器において色再現される画像ごとに、色再現モードを選択する選択手段と、
前記色再現モード別にあらかじめ設定された、前記第１の画像機器における所定の色に対応する前記第２の画像機器の色相角と焦点色とを取得する取得手段と、
前記第２の画像機器において再現される色を制御するための制御色を、前記第１の画像機器における所定の色と、該所定の色に対応する前記取得した色相角および焦点色と、前記第２の画像機器の有する色域についての色域情報とに基づいて、前記選択された色再現モードに対して算出する算出手段と、
前記選択された色再現モードに対して算出された制御色に基づいて、前記第１の画像機器の画像の色変換を行う色変換手段とを備える。
【００１２】
【発明の実施の形態】
はじめに本発明の概略について説明する。本発明は、色域圧縮において、より最適な色再現を実現すべく、色再現モードの選択により、画像ごとに色域圧縮の方法を切り替えることを特徴とする。
【００１３】
つまり、写真画像に適した色再現を行いたいのか、グラフィックス画像に適した色再現を行いたいのか、といったユーザの画像出力目的別（色再現モード別）に、色域圧縮の方法を細分化させることで、画像ごとにより最適な色再現を実現するものである。これは、明度・彩度・色相を変化させる３次元圧縮では、画像出力目的別に最適な色域圧縮の方法が異なるという性質を利用したものである。
【００１４】
このため、本発明の各実施形態では、色域圧縮は、色再現モード別の制御色に基づいて行う（つまり、色再現モード別の制御色がプリンタにて再現される色を制御する）。また、色再現モード別の制御色は、色再現モード別にあらかじめ設定された焦点色および色相角と、該色相角におけるプリンタの色域とに基づいて算出することとした。
【００１５】
以下に、添付図面を参照しながら、本発明の実施形態を詳細に説明する。
【００１６】
【第１の実施形態】
図１は本発明の実施形態にかかる画像処理装置を備えるシステムの構成を示したブロック図である。１は本発明の第１の実施形態にかかる画像処理装置、２はＣＲＴやＬＣＤなど画像を表示するための画像表示装置、３はプリンタなど画像を出力するための画像出力装置、４は画像表示装置２で表示するための信号を生成する画像表示部、５は画像表示装置２に表示される色を画像出力装置３に出力するための階調変換処理などを行う画像処理部、６は色再現モード別（写真用、モニタマッチング用、グラフィックス用など）に色相値と焦点値（焦点色の値）が記憶されている色相値・焦点値記憶部、７はオリジナル色（図８の一例参照）が記憶されているオリジナル色記憶部、８は色域圧縮する際に使用する制御点（制御色を示す色空間内の点）の設定を行う制御点設定部、９は画像表示装置２に表示される色と画像出力装置３にて出力される色とのカラーマッチングＬＵＴを作成するカラーマッチングＬＵＴ作成部、１０は画像出力装置３に出力するための色変換処理を行う色変換処理部、１１は画像出力装置３に出力する画像の色再現モードを決定する色再現モード設定部、１２は画像表示装置２に表示される色と画像出力装置３にて出力される色とのカラーマッチングＬＵＴを記憶するカラーマッチングＬＵＴ記憶部、１３は画像出力装置３で出力するための信号を生成する画像出力部、１４は各種データ処理を行うために一時的にデータを保存するデータバッファ、１５は画像表示装置２などのモニタプロファイルを記憶しておくモニタプロファイル、１６は画像出力装置３などのプリンタプロファイルを記憶してあるプリンタプロファイル、１７はユーザが画像処理装置１を用いて操作を行うためのＵＩ部、１８は画像出力装置３で用いる出力用紙の種類等を設定する出力条件設定部である。
【００１７】
＜全体処理＞
ここで図２は、画像処理装置１にて行われる画像処理のフローチャートであり、図１２は、ユーザがその処理を操作するユーザインタフェース（ＵＩ）である。では、図２のフローチャートと図１２のＵＩを用い、画像処理装置１にて行われる色域圧縮処理について詳細に説明する。
【００１８】
ステップＳ２０１では、画像表示部４で生成された信号（カラー画像データ）を入力する。ステップＳ２０２では、ユーザが、１２０２で選択する出力条件（出力機器、出力用紙）の情報を取得する。ステップＳ２０３では、ユーザが１２０５を押下することによって現れる色再現モード設定領域１２０３の色再現モードを選択し、色再現モード設定ボタン１２０６を押下することで、色再現モード設定部１１によって色再現モード情報が取得される。
【００１９】
ステップＳ２０４では、ユーザが印刷ボタン１２０４を押下することで、色再現モード設定領域１２０３の設定内容に応じカラーマッチングＬＵＴ記憶部１２内に対象のカラーマッチングＬＵＴが記憶されているかを探し、ステップＳ２０２、ステップＳ２０３によって得られた出力条件の情報および色再現モード情報に対応するカラーマッチングＬＵＴがあらかじめカラーマッチングＬＵＴ記憶部１２に記憶されているときにはステップＳ２１０へ進み、記憶されていないときにはステップＳ２０５に進む。
【００２０】
ステップＳ２１０では、カラーマッチングＬＵＴ記憶部１１において記憶されているカラーマッチングＬＵＴを読み出す。ステップＳ２０５では、色域圧縮を行うための制御点を設定する。制御点設定の詳細は、図３のフローチャートを用い後述する。
【００２１】
ステップＳ２０６では、ステップＳ２０５にて設定された制御点を使用してカラーマッチングＬＵＴを作成する。カラーマッチングＬＵＴ作成の詳細は、図６のフローチャートを用い後述する。ステップＳ２０７では、ステップＳ２０５にて作成されたカラーマッチングＬＵＴまたは、ステップＳ２１０にて読み出されたカラーマッチングＬＵＴを用いて、画像出力装置３に出力するための色変換処理を行う。ステップＳ２０８では、画像出力装置３に出力するための階調変換処理を行う。ステップＳ２０９では、画像出力装置３に出力するための信号（カラー画像）を生成し、出力する。
【００２２】
＜制御点設定＞
次に図３を用い、ステップＳ２０５の制御点設定処理の詳細を説明する。ステップＳ３０１では、制御点に設定する制御点の数Ｎ（Ｎは整数）を初期化する。ステップＳ３０２では、オリジナル色記憶部７からオリジナル色ＯＲｃを読み出す。オリジナル色ＯＲｃとは、モニタである画像表示装置２に表示されている色をいう。
【００２３】
ステップＳ３０３では、色相値・焦点値記憶部６から色相角Ｇｈ、焦点値Ｌｓｔを読み出す。色相角Ｇｈ及び焦点値Ｌｓｔは、色再現モード毎に定められている。従ってステップＳ３０３においては、ステップＳ２０３で得た色再現モード情報に対応する色相角Ｇｈ及び焦点値Ｌｓｔを色相値・焦点値記憶部より呼び出す。この色相角Ｇｈは、あらかじめ色再現モード別のオリジナル色とプリント色（プリンタにて出力される色）との色相関係を主観評価などにより求めておき、図１０に示すような色再現モード別（写真用、モニタマッチング用、グラフィックス用など）のテーブルデータとして色相値・焦点値記憶部６に保存しておくものとする。もちろん、図１０のようなデータを出力機器別または、出力用紙別に用意しておき、適宜使い分けても良い。また焦点値Ｌｓｔにおける詳細な説明は、ステップＳ３０６で行うこととする。
【００２４】
ステップＳ３０４では、オリジナル色ＯＲｃに色相変換を施したＯＲｍを算出する。ここで、色相角Ｇｈ、オリジナル色ＯＲｃとオリジナル色ＯＲｍとの関係を図７を用いて詳細に説明する。
【００２５】
図７は、ＣＩＥ−Ｌ＊ａ＊ｂ＊色空間におけるａ＊ｂ＊平面である。オリジナル色ＯＲｃ（○印）は、モニタである画像表示装置２に表示されている色を示し、ＯＲｍ（△印）は、オリジナル色ＯＲｃを色相角Ｇｈへと色相変換した色を表している。ステップＳ３０５では、プリンタプロファイル１６から色域データ（色域情報）Ｇｏｎを読み出す。たとえば、色域データＧｏｎは、プリンタに送られるデジタルデータＲＧＢを出力した結果の測色データＬａｂのデータであり、具体的には、ＲＧＢ各９段階のデータ（計７２９色）の出力結果のＬａｂ値である。
【００２６】
ステップＳ３０６では、ステップＳ３０４において色相変換を施したオリジナル色ＯＲｍと焦点値Ｌｓｔとを結ぶ直線（２次元圧縮線）Ｌｎを算出する。ここで、２次元圧縮線Ｌｎと焦点値Ｌｓｔの詳細な説明を図１１を用いて説明する。
【００２７】
図１１は、ＣＩＥ−Ｌ＊ａ＊ｂ＊色空間から変換されるＬ＊Ｃ＊平面である。２次元圧縮線Ｌｎは、オリジナル色ＯＲｍからＬ＊軸上の焦点値Ｌｓｔへ向けて引いた直線である。本実施形態では、２次元圧縮線Ｌｎを直線としているが、直線に限定しないのは言うまでもない。ステップＳ３０７では、色域データＧｏｎと２次元圧縮線Ｌｎとの交点Ｘｌａｂを算出する（図１１参照）。ここで、色域データＧｏｎと２次元圧縮線Ｌｎとの交点Ｘｌａｂ算出の詳細な説明は、図４のフローチャートを用い後述する。
【００２８】
ステップＳ３０８では、ステップＳ３０７で計算した交点Ｘｌａｂを制御点に設定する。ステップＳ３０９では、Ｎ値が規定値に達していれば（本実施形態の場合、規定値は１８）この処理を終え、達していなければステップＳ３１０へ進み、Ｎ値に１を加えステップＳ３０２に戻る。
【００２９】
本実施形態では、制御点数Ｎを１８（ＲＧＢＣＭＹ各々についてＢｒｉｇｈｔ，Ｄａｒｋ，Ｐｒｉｍａｒｙ）としているが、１８色に限定しないのはもちろん、色の成分についても限定しないのは言うまでもない。
【００３０】
＜カラーマッチングＬＵＴ作成＞
次に図６を用い、ステップＳ２０６であるカラーマッチングＬＵＴ作成処理の詳細を説明する。ステップＳ６０１では、制御点数Ｎが格子点データＭ３を含む場合は、ステップＳ６１０へ進み、格子点データＭ３を含まない場合はステップＳ６０２に進む。
【００３１】
ステップＳ６０２では、変数Ｃｏｌを１に初期化している。ここで、Ｃｏｌは次ステップである、ループ内処理をＲＧＢＣＭＹの６色について行うための変数である。ステップＳ６０３では、写像元（入力系色域）Ｗｈｉｔｅ−Ｐｒｉｍａｒｙ−Ｂｌａｃｋライン上の補間処理を行う。本実施形態（制御点数Ｎ＝１８、格子点グリット数Ｍ＝９）では、写像元のＷｈｉｔｅ−Ｐｒｉｍａｒｙ−Ｂｌａｃｋライン上には、５色（Ｐｒｉｍａｒｙ，Ｂｒｉｇｈｔ，Ｄａｒｋ＋Ｗｈｉｔｅ，Ｂｌａｃｋ）のオリジナル色しか存在していないため、残りの１２色の色度を算出し、補間により色相線を設定する。
【００３２】
ステップＳ６０４では、前記ステップＳ６０３で補間演算により算出したＷｈｉｔｅ−Ｐｒｉｍａｒｙ−Ｂｌａｃｋ線上の１２色に対応した、色域圧縮するための焦点値を算出する。残り１２色の焦点値は、５色のオリジナル色とそれに対応する５色の焦点値との関係を用いて補間演算を行うことで算出する。ステップＳ６０５では、ステップＳ６０３及びステップＳ６０４で算出したオリジナル色と焦点値を用いて２次元圧縮線Ｌｎを算出する。
【００３３】
ステップＳ６０６では、変数Ｃｏｌが６以上であればステップＳ６０７へ進み、Ｃｏｌが５以下ならばステップＳ６１２へ進み、変数Ｃｏｌに１を加えステップＳ６０３へ進む。ステップＳ６０７では、色域データＧｏｎと２次元圧縮線Ｌｎとの交点Ｘｌａｂを算出する（詳細フローは後述する）。ステップＳ６０８では、ステップＳ６０３で求めたオリジナル色とステップＳ６０７で算出した交点ＸｌａｂとステップＳ６０５で算出した２次元圧縮線Ｌｎを用い、残りの全ての格子点データＭ３に対して、対応する写像先を求める。ここでは、モニタ色域とプリンタ色域との関係（体積比など）によって、線形（または非線形）の色域圧縮を行う。
【００３４】
ステップＳ６０９では、ステップＳ６０８で行った写像先をＭ３格子点データの制御点に設定する。ステップＳ６１０では、Ｎ色の中からＭ３の格子点データ分を取り出す。ステップＳ６１１では、ステップＳ６０９で設定した制御点及び、ステップＳ６１０で取り出したデータからＭグリットのカラーマッチングＬＵＴを作成する。ここで、本実施形態では格子点グリット数Ｍを９としているが、格子点グリット数Ｍは９に限定しないのは言うまでもない。
【００３５】
＜色域データと２次元圧縮線との交点算出＞
次に図４、図５、図１６を用い、ステップＳ６０７である色域データＧｏｎと２次元圧縮線Ｌｎとの交点Ｘｌａｂ算出処理の詳細を説明する。なお、図１６は色域データＧｏｎをＲＧＢ色空間で表現したものである（つまり、交点Ｘｌａｂは常に図１６の色立体の表面に存在することになる）。ステップＳ４０１では、変数Ｃｏｌを１に初期化する。変数Ｃｏｌは、ＲＧＢＣＭＹの６色分のループを回すための変数で、６回のループで、ＲＧＢ座標における色立体（図１６参照）を構成する６平面（Ｒ＝０，Ｇ＝０，Ｂ＝０，Ｒ＝２５５，Ｇ＝２５５，Ｂ＝２５５）の全平面において、２次元圧縮線Ｌｎと色域データＧｏｎとの交点検索を行っている。
【００３６】
ステップＳ４０２では、変数ｉを０に初期化する。ステップＳ４０３では、変数ｊを０に初期化する。ここで、図５を用いて、変数ｉ，ｊの詳細な説明を行う。図５に示す通り、変数ｉ，ｊはＲＧＢ座標における色立体平面上の格子点上を動く変数である。ステップＳ４０４では、色立体のある平面上の（ｉ，ｊ），（ｉ＋１，ｊ），（ｉ，ｊ＋１）の三点（図５ａ参照）におけるＣＩＥ−Ｌ＊ａ＊ｂ＊値から３点を通る平面Ｈｎを計算する。
【００３７】
ステップＳ４０５では、ステップＳ４０４で作成した平面Ｈｎと２次元圧縮線Ｌｎとの交点を算出する。ステップＳ４０６では、ステップＳ４０５で計算した交点が、ステップＳ４０４の三点で作る三角形内に入っているかの判定を行い、交点が三角形内に存在すればステップＳ４１７へ、交点が三角形内に存在しなければステップＳ４０７へ進む。
【００３８】
ステップＳ４０７では、変数ｊの判定を行いｊが格子点グリット数Ｍ−１より小さい時はステップＳ４１８へ進みステップＳ４１８でｊに１を加えてステップＳ４０４へ進み、ｊがＭ−１以上の時はステップＳ４０８へ進む。ステップＳ４０８では、変数ｉの判定を行い、ｉがＭ−１より小さいときはステップＳ４１９へ進み、ステップＳ４１９でｉに１を加えてステップＳ４０３へ進み、ｉがＭ−１以上のときはステップＳ４０９へ進む（ここまでの処理で、図５（ａ）の領域の交点検索終了）。ステップＳ４０９では、ｉの初期化を行う。ステップＳ４１０では、ｊの初期化を行う。
【００３９】
ステップＳ４１１では、色立体のある平面上の（ｉ，ｊ），（ｉ−１，ｊ），（ｉ，ｊ−１）の三点（図５ｂ参照）におけるＣＩＥ−Ｌ＊ａ＊ｂ＊値から平面Ｈｎを作成する。ステップＳ４１２では、２次元圧縮線ＬｎとステップＳ４１１で作成した平面Ｈｎとの交点を算出する。
【００４０】
ステップＳ４１３では、ステップＳ４１２で算出した交点がステップＳ４１１での三点で囲まれる三角形内に含まれるかの判定を行い、含まれる時はステップＳ４１７へ、交点が三角形内に含まれない時はステップＳ４１４へ進む。
【００４１】
ステップＳ４１４では、ｊの判定を行い、ｊがＭより小さい時はステップＳ４２０へ進み、ステップＳ４２０でｊに１を加えてステップＳ４１１へ進み、ｊがＭ以上の時はステップＳ４１５へ進む。ステップＳ４１５は、ｉの判定を行い、ｉがＭより小さいときはステップＳ４２１へ進み、ステップＳ４２１でｉに１を加えてステップＳ４１０に戻り、ｉがＭ以上のときはステップＳ４１６へ進む。
【００４２】
ステップＳ４１６では、変数Ｃｏｌの判定を行い、変数Ｃｏｌが６以外の時はステップＳ４２２にて変数Ｃｏｌに１を加えてステップＳ４０２へ進み、変数Ｃｏｌが６の時はステップＳ４１７へ進む（ここまでの処理で図５（ｂ）の領域の交点検索終了）。ステップＳ４１７では、ステップＳ４０６もしくはＳ４１３にて判定をし、三角形の内部に存在した交点を、色域データＧｏｎと２次元圧縮線Ｌｎの交点Ｘｌａｂに決定する。
【００４３】
以上、本実施形態によれば、色相別、出力機器別、出力用紙別、色再現モード別に焦点色を保持し、２次元圧縮線Ｌｎを設定し制御点Ｘｌａｂを求めることで、入力系の色域と出力系の色域の形状や位置関係を考慮し、人間の視覚に合致した最適な色再現を実現する色域圧縮を行うことが出来る。
【００４４】
【第２の実施形態】
上記第１の実施形態においては、カラーマッチングＬＵＴの作成にあたり、制御点数および格子点グリット数を固定として扱ったが、ユーザによって任意に設定できる構成としてもよい。
【００４５】
以下、添付図面を参照しながら本発明の実施形態を説明する。
【００４６】
図１３は本発明の一実施形態にかかる画像処理装置を備えるシステムの構成を示したブロック図である。１３０１は本発明の第２の実施形態にかかる画像処理装置、１３０２はＣＲＴやＬＣＤなど画像を表示するための画像表示装置、１３０３はプリンタなど画像を出力するための画像出力装置、１３０４は画像表示装置１３０２で表示するための信号を生成する画像表示部、１３０５は画像表示装置１３０２に表示される色を画像出力装置１３０３に出力するための階調変換処理などを行う画像処理部、１３０６は色相値と焦点値が記憶されている色相値・焦点値記憶部、１３０７はオリジナル色が記憶されているオリジナル色記憶部、１３０８は色域圧縮する際に使用する制御点の設定を行う制御点設定部、１３０９は画像表示装置１３０２に表示される色と画像出力装置１３０３にて出力される色とのカラーマッチングＬＵＴを作成するカラーマッチングＬＵＴ作成部、１３１０は画像出力装置１３０３に出力するための色変換処理を行う色変換処理部、１３１１は画像出力装置１３０３に出力する画像の色再現モードを決定する色再現モード設定部、１３１２は画像出力装置１３０３で出力するための信号を生成する画像出力部、１３１３は各種データ処理を行うために一時的にデータを保存するデータバッファ、１３１４は画像表示装置１３０２などのモニタプロファイルを記憶しておくモニタプロファイル、１３１５は画像出力装置１３０３などのプリンタプロファイルを記憶してあるプリンタプロファイル、１３１６はユーザが画像処理装置１３０１を用いて操作を行うためのＵＩ部、１３１７は画像出力装置１３０３で用いる出力用紙の種類等を設定する出力条件設定部である。
【００４７】
＜全体処理＞
図１４は、画像処理装置１３０１にて行われる画像処理のフローチャートの一部を示したものであり、上記第１の実施形態における図２に示すフローチャートのステップＳ２０２からステップＳ２０６の処理に相当する（つまり、画像処理装置１３０１での画像処理のフローチャート全体は、ステップＳ２０１→Ｓ１４０１・・・・Ｓ１４０６→Ｓ２０７・・・Ｓ２０９となる）。また、図１５の１５０１は、ユーザがその処理を操作するユーザインタフェース（ＵＩ）である。
【００４８】
では、図１４のフローチャートと図１５のＵＩを用い、画像処理装置１３０１にて行われるカラーマッチングＬＵＴ作成処理について詳細に説明する。
【００４９】
ステップＳ１４０１では、ユーザが、１５０３及び１５０４においてプルダウンで出力条件を選択した、出力機器及び出力用紙の情報を取得する。ステップＳ１４０２では、ユーザが、詳細設定ボタン１５０７を押下し、詳細設定領域１５０２において、色再現モード１５１１の設定を行い、色再現モード設定ボタン１５１０を押下することにより次のステップへ進む。
【００５０】
ステップＳ１４０３では、格子点数設定ボタン１５０９を押下することで格子点グリット数情報を取得する。
【００５１】
ステップＳ１４０４では、制御点数設定ボタン１５０８を押下することで制御点数情報を取得する。ここで本実施形態では、詳細設定領域１５０２のデフォルト設定値（格子点グリット数Ｍ、制御点数Ｎ）は、格子点グリット数は９、制御点数は１８としているが限定しないのは言うまでもない。ステップＳ１４０５では、制御点設定処理を行う。ステップＳ１４０６では、カラーマッチングＬＵＴ作成処理を行う。
【００５２】
以上説明したように、本実施形態によれば、カラーマッチングＬＵＴの作成にあたり、制御点数及び格子点グリット数を自由に設定できるようにすることにより、求める精度や、目的に応じた色再現が可能となる。
【００５３】
【第３の実施形態】
上記第１の実施形態におけるステップＳ２０５、および上記第２の実施形態におけるステップＳ１４０５では、いずれも色域圧縮を行う際に使用する制御点数をＲ，Ｇ，Ｂ，Ｃ，Ｍ，Ｙに各々Ｐｒｉｍａｒｙ，Ｂｒｉｇｈｔ，Ｄａｒｋの１８色としたがこれに限定しない。求める精度、目的に応じ変化させてよいことは言うまでもない。
【００５４】
【第４の実施形態】
上記第１の実施形態におけるステップＳ２０６、および上記第２の実施形態におけるステップＳ１４０６では、いずれも作成するカラーマッチングＬＵＴの格子点グリット数を９としたがこれに限定しない。求める精度、目的に応じて変化させてよいことは言うまでもない。
【００５５】
【第５の実施形態】
上記第１、第２の実施形態では、図１２、図１５のようにユーザインタフェース（ＵＩ）の例として、ボタンによる選択方法とプルダウン形式による選択方法を示したが、これに限定されないことは、言うまでもない。メニュー形式にして、ユーザに選択させるようなＵＩでも構わない。また、キーワードを直接入力させるようなＵＩ形式でも構わない。つまり、ユーザの所望の設定ができるようなＵＩ構成であればよい。
【００５６】
【他の実施形態】
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用しても良い。
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵまたはＭＰＵ）が記憶媒体に格納されたプログラムコードを読み出し実行することによっても達成されることは言うまでもない。
【００５７】
この場合、記憶媒体から読み出されたプログラムコード自体が前述した実施形態の機能を実現することになり、そのプログラムコードを記憶した記憶媒体は本発明を構成することになる。
【００５８】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることが出来る。
【００５９】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部を行い、その処理によって前述した実施形態の機能が実現される場合も含まれることは言うまでもない。
【００６０】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００６１】
なお、本発明に係る実施態様の例を以下に列挙する。
【００６２】
［実施態様１］  所定の色域を有する第１の画像機器と、該第１の画像機器と異なる色域を有する第２の画像機器との間における色域圧縮による色変換を行う画像処理装置であって、
前記第２の画像機器において色再現される画像ごとに、色再現モードを選択する選択手段と、
前記色再現モード別にあらかじめ設定された、前記第１の画像機器における所定の色に対応する前記第２の画像機器の色相角と焦点色とを取得する取得手段と、
前記第２の画像機器において再現される色を制御するための制御色を、前記第１の画像機器における所定の色と、該所定の色に対応する前記取得した色相角および焦点色と、前記第２の画像機器の有する色域についての色域情報とに基づいて、前記選択された色再現モードに対して算出する算出手段と、
前記選択された色再現モードに対して算出された制御色に基づいて、前記第１の画像機器の画像の色変換を行う色変換手段と
を備えることを特徴とする画像処理装置。
【００６３】
［実施態様２］  所定の色域を有する第１の画像機器と、該第１の画像機器と異なる色域を有する第２の画像機器との間における色域圧縮による色変換を行う画像処理方法であって、
前記第２の画像機器において色再現される画像ごとに、色再現モードを選択する選択工程と、
前記色再現モード別にあらかじめ設定された、前記第１の画像機器における所定の色に対応する前記第２の画像機器の色相角と焦点色とを取得する取得工程と、
前記第２の画像機器において再現される色を制御するための制御色を、前記第１の画像機器における所定の色と、該所定の色に対応する前記取得した色相角および焦点色と、前記第２の画像機器の有する色域についての色域情報とに基づいて、前記選択された色再現モードに対して算出する算出工程と、
前記選択された色再現モードに対して算出された制御色に基づいて、前記第１の画像機器の画像の色変換を行う色変換工程と
を備えることを特徴とする画像処理方法。
【００６４】
［実施態様３］  前記焦点色は、前記第２の画像機器が複数ある場合、該第２の画像機器ごとに設定されていることを特徴とする実施態様２に記載の画像処理方法。
【００６５】
［実施態様４］  前記焦点色は、前記第２の画像機器において色再現される際の出力媒体ごとに設定されていることを特徴とする実施態様２に記載の画像処理方法。
【００６６】
［実施態様５］  前記選択工程において選択される色再現モードは、写真画像に適した色再現を行うモード、モニタ画像に適した色再現を行うモード、グラフィックス画像に適した色再現を行うモードのうち、少なくとも１つを含むことを特徴とする実施態様２に記載の画像処理方法。
【００６７】
［実施態様６］  実施態様２乃至５のいずれか１つに記載の画像処理方法をコンピュータによって実現させるための制御プログラム。
【００６８】
【発明の効果】
以上説明したように本発明によれば、色域の異なるデバイス間の色域圧縮において、画像ごとに、より最適な色再現を実現させることができる。
【図面の簡単な説明】
【図１】本発明の第１の実施形態にかかる画像処理装置を備えるシステムの構成を示すブロック図である。
【図２】本発明の第１の実施形態にかかる画像処理装置の流れを説明するフローチャートである。
【図３】本発明の第１の実施形態にかかる画像処理装置における制御点設定処理を説明するフローチャートである。
【図４】本発明の第１の実施形態にかかる画像処理装置における色域データと２次元圧縮線との交点の計算方法を説明するフローチャートである。
【図５】本発明の第１の実施形態にかかる画像処理装置における色域データと２次元圧縮線との交点の計算方法を説明する図である。
【図６】本発明の第１の実施形態にかかる画像処理装置における、カラーマッチングＬＵＴ作成方法を説明するフローチャートである。
【図７】本発明の第１の実施形態にかかる画像処理装置における、オリジナル色の色相変換をａ＊−ｂ＊平面上で説明する図である。
【図８】オリジナル色の一例を示す図である。
【図９】従来の色域圧縮方法を説明する図である。
【図１０】色再現モード毎に異なる色相値と焦点値の一例を示す図である。
【図１１】本発明の第１の実施形態にかかる画像処理装置における２次元圧縮を説明する図である。
【図１２】本発明の第１の実施形態にかかる画像処理装置におけるユーザインタフェースの一例を示す図である。
【図１３】本発明の第２の実施形態にかかる画像処理装置を備えるシステムの構成を示すブロック図である。
【図１４】本発明の第２の実施形態にかかる画像処理装置におけるカラーマッチングＬＵＴ作成方法を説明するフローチャートである。
【図１５】本発明の第２の実施形態にかかる画像処理装置におけるユーザインタフェースの一例を示す図である。
【図１６】色立体を説明する図である。
【図１７】カラーマネージメントシステムの構成図である。
【図１８】カラーマネージメントシステムの基本的な構成を説明するブロック図である。
【図１９】モニタの色域とプリンタの色域の相違をＬ＊−Ｃ＊平面上で説明する図である。
【符号の説明】
１・・・画像処理装置
２・・・画像表示装置
３・・・画像出力装置
４・・・画像表示部
５・・・画像処理部
６・・・色相値・焦点値記憶部
７・・・オリジナル色記憶部
８・・・制御点設定部
９・・・カラーマッチングＬＵＴ作成部
１０・・・色変換処理部
１１・・・色再現モード設定部
１２・・・カラーマッチングＬＵＴ記憶部
１３・・・画像出力部
１４・・・データバッファ
１５・・・モニタプロファイル
１６・・・プリンタプロファイル
１７・・・ＵＩ部
１８・・・出力条件設定部
【図１】
2004153337.tif 000003
【図２】
2004153337.tif 000004
【図３】
2004153337.tif 000005
【図４】
2004153337.tif 000006
【図５】
2004153337.tif 000007
【図６】
2004153337.tif 000008
【図７】
2004153337.tif 000009
【図８】
2004153337.tif 000010
【図９】
2004153337.tif 000011
【図１０】
2004153337.tif 000012
【図１１】
2004153337.tif 000013
【図１２】
2004153337.tif 000014
【図１３】
2004153337.tif 000015
【図１４】
2004153337.tif 000016
【図１５】
2004153337.tif 000017
【図１６】
2004153337.tif 000018
【図１７】
2004153337.tif 000019
【図１８】
2004153337.tif 000020
【図１９】
2004153337.tif 000021